(57)【要約】【課題】主バネ部が塑性変形しにくい構造を備える雌端子を提供すること。【解決手段】雌端子２００は、本体部３００と、主バネ部４００と、補助バネ部５００とを備えている。主バネ部４００は、第１バネ片部４１０と、第２バネ片部４２０と、接点部４３２とを有している。補助バネ部５００は、第１支持部５１２と、第２支持部５２２と、弾性支持部５３０，５３１とを有している。第１支持部５１２及び第２支持部５２２の夫々は、弾性支持部５３０，５３１に支持されており、少なくとも前後方向と直交する上下方向に移動可能となっている。第１支持部５１２は、雄端子と雌端子２００とが接続される際に、第１バネ片部４１０を支持している。第２支持部５２２は、雄端子と雌端子２００とが接続される際に、第２バネ片部４２０を支持している。接点部４３２は、前後方向において第１支持部５１２と第２支持部５２２との間に位置している。【選択図】図９
2019057423.tif 000002
【特許請求の範囲】
【請求項１】
本体部と、主バネ部と、補助バネ部とを備える雌端子であって、
前記本体部は、前後方向において前方に開口し且つ前記前後方向に沿って雄端子を受容する受容部を構成しており、
前記主バネ部は、前記本体部に片持ち梁状に支持されており、前記受容部内に延びており、
前記主バネ部は、第１バネ片部と、第２バネ片部と、接点部とを有しており、
前記接点部は、前記前後方向において前記第１バネ片部と前記第２バネ片部とに挟まれており、
前記接点部は、前記雄端子が前記受容部に受容された際に前記雄端子と接触するものであり、
前記補助バネ部は、第１支持部と、第２支持部と、弾性支持部とを有しており、
前記第１支持部及び前記第２支持部の夫々は、前記弾性支持部に支持されており、少なくとも前記前後方向と直交する上下方向に移動可能となっており、
前記第１支持部は、前記雄端子と前記雌端子とが接続される際に、前記第１バネ片部を支持し、
前記第２支持部は、前記雄端子と前記雌端子とが接続される際に、前記第２バネ片部を支持し、
前記接点部は、前記前後方向において前記第１支持部と前記第２支持部との間に位置している
雌端子。
【請求項２】
請求項１記載の雌端子であって、
前記補助バネ部は、互いに独立した第１補助バネ部と第２補助バネ部とを有しており、
前記第１補助バネ部及び前記第２補助バネ部の夫々は、前記本体部に片持ち梁状に支持されており、
前記第１補助バネ部は、固定端である第１基部を有しており、
前記第２補助バネ部は、固定端である第２基部を有しており、
前記第１支持部は、前記第１補助バネ部の自由端に形成されており、
前記第２支持部は、前記第２補助バネ部の自由端に形成されている
雌端子。
【請求項３】
請求項２記載の雌端子であって、
前記第１支持部は、前記前後方向において前記第１基部よりも前方に位置しており、
前記第２支持部は、前記前後方向において前記第２基部よりも前方に位置している
雌端子。
【請求項４】
請求項２又は請求項３記載の雌端子であって、
前記本体部は、連結部を更に有しており、
前記連結部は、前記前後方向において前記第１基部と前記第２基部とを連結している
雌端子。
【請求項５】
請求項１から請求項４までのいずれかに記載の雌端子であって、
前記主バネ部の固定端は、前記前後方向において前記主バネ部の自由端よりも前方に位置している
雌端子。
【請求項６】
請求項５記載の雌端子であって、
前記雌端子は、保護部を更に有しており、
前記前後方向に沿って前方から前記雌端子を見た場合に、前記保護部は、前記主バネ部の前記固定端を隠している
雌端子。
【請求項７】
請求項１から請求項６までのいずれかに記載の雌端子であって、
前記雌端子は１枚の金属板からなる
雌端子。
【請求項８】
請求項１から請求項７までのいずれかに記載の雌端子と、前記雌端子を保持するハウジングとを備えるコネクタ。
【発明の詳細な説明】
【技術分野】
【０００１】
本発明は、雌端子及びそれを備えるコネクタに関する。
【背景技術】
【０００２】
図１０を参照すると、特許文献１には、本体部９１０と、主バネ部９２０と、補助バネ部９４０とを備える雌端子９００が開示されている。
【０００３】
図１０に示されるように、本体部９１０は、前後方向（Ｘ方向）において前方に開口し且つＸ方向に沿って雄端子（図示せず）を受容する受容部９５０を構成している。主バネ部９２０は、本体部９１０に片持ち梁状に支持されている。主バネ部９２０は、受容部９５０内に延びている。主バネ部９２０は、第１バネ片部９２２と、第２バネ片部９２４と、接点部９２５とを有している。第１バネ片部９２２は、固定端９２３を有している。第１バネ片部９２２は、Ｘ方向において接点部９２５と固定端９２３とに挟まれている。接点部９２５は、Ｘ方向において第１バネ片部９２２と第２バネ片部９２４とに挟まれている。補助バネ部９４０は、第１支持部９４２と、第２支持部９４４とを有している。第１支持部９４２及び第２支持部９４４の夫々は、Ｘ方向と直交する上下方向（Ｚ方向）に移動可能となっている。第１支持部９４２及び第２支持部９４４は、雄端子（図示せず）と雌端子９００とが接続される際に、第１バネ片部９２２を支持する。接点部９２５は、Ｘ方向において、第１支持部９４２及び第２支持部９４４の夫々の前方に位置している。
【先行技術文献】
【特許文献】
【０００４】
【特許文献１】特開平１１−２３３１８２号公報
【発明の概要】
【発明が解決しようとする課題】
【０００５】
特許文献１の雌端子９００においては、第１支持部９４２及び第２支持部９４４を有する補助バネ部９４０で主バネ部９２０を支持していることから、接点部９２５は、十分な接触圧で雄端子（図示せず）に対して接触できるが、主バネ部９２０が塑性変形しやすいという問題がある。
【０００６】
本発明は、主バネ部が塑性変形しにくい構造を備える雌端子を提供することを目的とする。また、本発明は、かかる雌端子を備えるコネクタを提供することを目的とする。
【課題を解決するための手段】
【０００７】
本発明は、第１の雌端子として、
本体部と、主バネ部と、補助バネ部とを備える雌端子であって、
前記本体部は、前後方向において前方に開口し且つ前記前後方向に沿って雄端子を受容する受容部を構成しており、
前記主バネ部は、前記本体部に片持ち梁状に支持されており、前記受容部内に延びており、
前記主バネ部は、第１バネ片部と、第２バネ片部と、接点部とを有しており、
前記接点部は、前記前後方向において前記第１バネ片部と前記第２バネ片部とに挟まれており、
前記接点部は、前記雄端子が前記受容部に受容された際に前記雄端子と接触するものであり、
前記補助バネ部は、第１支持部と、第２支持部と、弾性支持部とを有しており、
前記第１支持部及び前記第２支持部の夫々は、前記弾性支持部に支持されており、少なくとも前記前後方向と直交する上下方向に移動可能となっており、
前記第１支持部は、前記雄端子と前記雌端子とが接続される際に、前記第１バネ片部を支持し、
前記第２支持部は、前記雄端子と前記雌端子とが接続される際に、前記第２バネ片部を支持し、
前記接点部は、前記前後方向において前記第１支持部と前記第２支持部との間に位置している
雌端子を提供する。
【０００８】
本発明は、第２の雌端子として、第１の雌端子であって、
前記補助バネ部は、互いに独立した第１補助バネ部と第２補助バネ部とを有しており、
前記第１補助バネ部及び前記第２補助バネ部の夫々は、前記本体部に片持ち梁状に支持されており、
前記第１補助バネ部は、固定端である第１基部を有しており、
前記第２補助バネ部は、固定端である第２基部を有しており、
前記第１支持部は、前記第１補助バネ部の自由端に形成されており、
前記第２支持部は、前記第２補助バネ部の自由端に形成されている
雌端子を提供する。
【０００９】
本発明は、第３の雌端子として、第２の雌端子であって、
前記第１支持部は、前記前後方向において前記第１基部よりも前方に位置しており、
前記第２支持部は、前記前後方向において前記第２基部よりも前方に位置している
雌端子を提供する。
【００１０】
本発明は、第４の雌端子として、第２又は第３の雌端子であって、
前記本体部は、連結部を更に有しており、
前記連結部は、前記前後方向において前記第１基部と前記第２基部とを連結している
雌端子を提供する。
【００１１】
本発明は、第５の雌端子として、第１から第４までのいずれかの雌端子であって、
前記主バネ部の固定端は、前記前後方向において前記主バネ部の自由端よりも前方に位置している
雌端子を提供する。
【００１２】
本発明は、第６の雌端子として、第５の雌端子であって、
前記雌端子は、保護部を更に有しており、
前記前後方向に沿って前方から前記雌端子を見た場合に、前記保護部は、前記主バネ部の前記固定端を隠している
雌端子を提供する。
【００１３】
本発明は、第７の雌端子として、第１から第６までのいずれかの雌端子であって、
前記雌端子は１枚の金属板からなる
雌端子を提供する。
【００１４】
本発明は、第１のコネクタとして、
第１から第７までのいずれかの雌端子と、前記雌端子を保持するハウジングとを備える
コネクタを提供する。
【発明の効果】
【００１５】
特許文献１の雌端子９００に雄端子が挿入された場合、雄端子は接点部９２５と接触して接点部９２５を押し下げるが、このとき、第１支持部９４２及び第２支持部９４４の夫々は、接点部９２５と固定端９２３との間に位置する第１バネ片部９２２のみと接触することにより、主バネ部９２０を下方から支持することとなる。これにより、雌端子９００においては、主バネ部９２０が塑性変形しやすい構造となっている。
【００１６】
これに対して、本発明の雌端子においては、主バネ部の接点部は、前後方向において補助バネ部の第１支持部と第２支持部との間に位置しており、また、補助バネ部の第１支持部及び第２支持部は、雄端子と雌端子とが接続される際に、主バネ部の第１バネ片部及び第２バネ片部を夫々支持する。これにより、雄端子と雌端子とが接続される際に雄端子が雌端子の主バネ部の接点部を押圧すると、主バネ部の接点部は、補助バネ部の第１支持部及び第２支持部により、前後方向においてバランスよく支持される。よって、雄端子と雌端子とが接続される際に主バネ部に発生する応力は、第１バネ片部及び第２バネ片部を介して、補助バネ部の第１支持部と第２支持部によって分散されるため、雌端子の主バネ部の塑性変形が避けられる。
【図面の簡単な説明】
【００１７】
【図１】本発明の実施の形態によるコネクタを示す斜視図である。
【図２】図１のコネクタの一部を示す断面図である。
【図３】図１のコネクタに含まれる雌端子を示す斜視図である。
【図４】図３の雌端子を示す正面図である。
【図５】図３の雌端子を示す上面図である。
【図６】図３の雌端子を示す下面図である。
【図７】図３の雌端子を示す側面図である。
【図８】図３の雌端子を示す別の側面図である。
【図９】図３の雌端子の一部を示す断面図である。ここで、雌端子の受容部には雄端子が挿入されている。
【図１０】特許文献１の雌端子の一部を示す断面図である。
【発明を実施するための形態】
【００１８】
図１を参照すると、本発明の実施の形態によるコネクタ１００は、ハウジング１５０と、複数の雌端子２００と、複数のケーブル１６０とを備えている。図１、図２及び図９を参照すると、本実施の形態のコネクタ１００は、雄端子７００を有する相手側コネクタ（図示せず）と嵌合可能なものである。即ち、本実施の形態のコネクタ１００と相手側コネクタとが嵌合した際には、コネクタ１００の雌端子２００は相手側コネクタの雄端子７００と接続される。
【００１９】
図１及び図２を参照すると、本実施の形態のハウジング１５０は、絶縁体からなり、複数の雌端子収容孔１７０と、複数のランス１５３とを有している。
【００２０】
図２に示されるように、本実施の形態の雌端子収容孔１７０は、前後方向にハウジング１５０を貫通している。本実施の形態において、前後方向はＸ方向である。ここで、前方を＋Ｘ方向とし、後方を−Ｘ方向とする。
【００２１】
図１及び図２を参照すると、本実施の形態の雌端子収容孔１７０は、右側止め部１７２と、左側止め部（図示せず）と、下側止め部１７６とを有している。右側止め部１７２と、左側止め部と、下側止め部１７６の夫々は、前後方向において後方を向いた面である。右側止め部１７２と、左側止め部と、下側止め部１７６は、前後方向において雌端子収容孔１７０の前端を規定している。右側止め部１７２は、横方向において左側止め部の右側に位置している。本実施の形態において、横方向はＹ方向である。また、右方は−Ｙ方向であり、左方は＋Ｙ方向である。下側止め部１７６は、上下方向において、右側止め部１７２及び左側止め部の夫々の下方に位置している。本実施の形態において、上下方向はＺ方向である。また、上方は＋Ｚ方向であり、下方は−Ｚ方向である。
【００２２】
図１及び図２を参照すると、ランス１５３は、雌端子収容孔１７０と夫々対応している。図２に示されるように、本実施の形態のランス１５３の夫々は、突起１５４と、突起支持部１５７とを有している。突起支持部１５７は、前端が自由端となるように前方に延びている。突起支持部１５７は、弾性変形可能となっている。突起１５４は、突起支持部１５７の前端付近から下方に突出している。突起１５４は、少なくとも上下方向に移動可能となるように突起支持部１５７に支持されている。突起１５４は、前面１５５と、傾斜面１５６とを有している。前面１５５は、前後方向と交差している。傾斜面１５６は、前後方向において前面１５５の後方に位置しており、前後方向及び上下方向の双方と交差している。
【００２３】
図１及び図２から理解されるように、本実施の形態のハウジング１５０は、複数の雌端子２００を保持している。即ち、本実施の雌端子２００は、ハウジング１５０の雌端子収容孔１７０に夫々収容され、ハウジング１５０に取り付けられている。雌端子２００のハウジング１５０への取付方法については後述する。
【００２４】
図２から図９までを参照すると、本実施の形態の雌端子２００は、１枚の金属板からなるものであり、本体部３００と、主バネ部４００と、保護部６００と、補助バネ部５００と、芯線保持部３６０、外皮保持部３７０とを備えている。
【００２５】
図２から図９までに示すように、本実施の形態の本体部３００は、第１上部３０１と、第２上部３０２と、右側部３９０と、左側部３９５と、底部３０９と、連結部３２０と、主バネ固定部３８０と、開口部３１５と、突起収容部３３０とを有している。
【００２６】
図７から図９までを参照すると、本実施の形態の第１上部３０１及び第２上部３０２の夫々は、上下方向と直交する平板形状を有している。第１上部３０１は、前後方向において後端３０３を有している。第１上部３０１及び第２上部３０２の夫々は、上下方向において本体部３００の上端を規定している。第１上部３０１は、前後方向において第２上部３０２の前方に位置している。より詳しくは、第１上部３０１は、第２上部３０２に対して前後方向に空間を空けて前方に位置している。第１上部３０１と第２上部３０２とは、上下方向において同じ位置に位置している。即ち、第１上部３０１と第２上部３０２とは、上下方向と直交する同一平面上に位置している。
【００２７】
図４から図６及び図８に示されるように、本実施の形態の右側部３９０は、横方向と直交する平板形状を有している。右側部３９０は、横方向において本体部３００の右端を規定している。
【００２８】
図８に示されるように、本実施の形態の右側部３９０は、右側第１接続部３９１と、右側第２接続部３９２と、右側主部３９３とを有している。右側第１接続部３９１は、前後方向において右側第２接続部３９２の前方に位置している。右側第１接続部３９１は、右側主部３９３の前端付近から上方に延びている。右側第２接続部３９２は、右側主部３９３の後方部分から上方に延びている。
【００２９】
図５及び図８を参照すると、第１上部３０１及び第２上部３０２の夫々は、右側部３９０と接続されている。より詳しくは、第１上部３０１の右端は、右側部３９０の右側第１接続部３９１の上端と接続されており、第２上部３０２の右端は、右側部３９０の右側第２接続部３９２の上端と接続されている。
【００３０】
図３から図７までに示されるように、本実施の形態の左側部３９５は、横方向と直交する平板形状を有している。左側部３９５は、横方向において本体部３００の左端を規定している。左側部３９５は、横方向において右側部３９０の左側に位置している。
【００３１】
図７に示されるように、本実施の形態の左側部３９５は、左側第１接続部３９６と、左側第２接続部３９７と、左側主部３９８とを有している。左側第１接続部３９６は、前後方向において左側第２接続部３９７の前方に位置している。左側第１接続部３９６は、左側主部３９８の前端付近から上方に延びている。右側第２接続部３９２は、左側主部３９８の前後方向における中間部分から上方に延びている。
【００３２】
図４及び図６から図９までに示されるように、本実施の形態の底部３０９は、上下方向と直交する平板形状を有している。底部３０９は、上下方向において本体部３００の下端を規定している。底部３０９は、上下方向において第１上部３０１及び第２上部３０２の夫々より下方に位置している。図２及び図９に示されるように、底部３０９には、接点部３４０，３５０が設けられている。接点部３４０，３５０の夫々は、上下方向において上方に突出している。接点部３４０は、前後方向において接点部３５０の前方に位置している。
【００３３】
図４及び図６に示されるように、底部３０９の右端は、右側部３９０の右側主部３９３の下端と接続されている。また、底部３０９の左端は、左側部３９５の左側主部３９８の下端と接続されている。
【００３４】
図２及び図９を参照すると、本実施の形態の連結部３２０は、上下方向と直交するする平板形状を有している。図２、図７及び図９を参照すると、連結部３２０は、横方向において左側部３９５と接続されている。より詳しくは、連結部３２０の左端は、左側部３９５の左側第２接続部３９７の上端と接続されている。再び図２及び図９を参照すると、連結部３２０は、上下方向において本体部３００の第２上部３０２の下方に位置している。連結部３２０と第２上部３０２とは、上下方向において接触していない。
【００３５】
図２及び図９を参照すると、本実施の形態の主バネ固定部３８０は、上下方向と直交する平板形状を有している。図２、図７及び図９を参照すると、主バネ固定部３８０は、横方向において左側部３９５と連結されている。より詳しくは、主バネ固定部３８０の左端は、左側部３９５の左側第１接続部３９６の上端と接続されている。再び図２及び図９を参照すると、主バネ固定部３８０は、上下方向において第１上部３０１の下方に位置している。
【００３６】
図２から図９までを参照すると、本実施の形態の本体部３００の第１上部３０１と、第２上部３０２と、右側部３９０と、左側部３９５と、底部３０９と、連結部３２０と、主バネ固定部３８０とで構成される構造体は、前後方向に延びる中空の略角筒形状を有しており、前端に開口部３１５を有している。また、この略角筒形状の構造体の中空部分は、雄端子７００を受容する受容部３１０を構成している。即ち、本実施の形態の本体部３００は、前後方向において前方に開口し且つ前後方向に沿って雄端子７００を受容する受容部３１０を構成している。
【００３７】
図２、図３、図５及び図７から図９までに示されるように、本実施の形態の突起収容部３３０は、前後方向において第１上部３０１と第２上部３０２との間に位置している。図２から理解されるように、突起収容部３３０は、雌端子２００がハウジング１５０の雌端子収容孔１７０に収容された際に、ハウジング１５０のランス１５３の突起１５４を収容する空間である。
【００３８】
図２、図７及び図９を参照すると、本実施の形態の主バネ部４００は、本体部３００に片持ち梁状に支持されている。また、本実施の形態の主バネ部４００は、本体部３００の受容部３１０内に延びている。本実施の形態の主バネ部４００は、弾性変形可能となっている。
【００３９】
図２及び図９に示されるように、本実施の形態の主バネ部４００は、第１バネ片部４１０と、曲部４３０と、第２バネ片部４２０とを有している。
【００４０】
図２及び図９に示されるように、本実施の形態の第１バネ片部４１０は、折り返し部４１２と、直線部４１６とを有している。
【００４１】
図２及び図９に示されるように、本実施の形態の折り返し部４１２は、本体部３００の主バネ固定部３８０から前方に延びた後、後方に折り返された形状を有している。より詳しくは、本実施の形態の折り返し部４１２は、横方向と直交する面内において、略Ｕ字形状の断面を有しており、その略Ｕ字形状の頂点４１３は前後方向において前方を向いている。即ち、頂点４１３は、前後方向における折り返し部４１２の前端である。また、本実施の形態の折り返し部４１２は、前後方向において本体部３００の主バネ固定部３８０に接続される固定端４１４を有している。本実施の形態の本実施の形態の折り返し部４１２は、固定端４１４を支点として弾性変形可能となっている。
【００４２】
図２、図４及び図９に示されるように、本実施の形態の直線部４１６は、上下方向及び前後方向の双方と交差する平板形状を有している。本実施の形態の直線部４１６は、折り返し部４１２から、下方且つ後方に延びている。
【００４３】
図２、図４及び図９に示されるように、本実施の形態の曲部４３０は、第１バネ片部４１０の直線部４１６の後端から後方に延びている。曲部４３０は、前後方向において本体部３００の主バネ固定部３８０の後端よりも後方に位置している。また、曲部４３０は、前後方向において本体部３００の第１上部３０１の後端３０３よりも後方に位置している。本実施の形態の曲部４３０の下端は、接点部４３２として機能する。即ち、本実施の形態の曲部４３０は、接点部４３２を有している。本実施の形態の接点部４３２は、上下方向に移動可能となるように第１バネ片部４１０に支持されている。再び図９を参照して、本実施の形態の接点部４３２は、後述するように、雄端子７００が受容部３１０に受容された際に雄端子７００と接触するものである。本実施の形態の主バネ部４００の曲部４３０の接点部４３２は、前後方向において本体部３００の底部３０９の接点部３４０，３５０の間に位置している。即ち、前後方向において、本実施の形態の主バネ部４００の曲部４３０の接点部４３２は、本体部３００の底部３０９の接点部３４０の後方に位置しており、且つ、本体部３００の底部３０９の接点部３５０の前方に位置している。また、本実施の形態の主バネ部４００の曲部４３０の接点部４３２は、上下方向において本体部３００の底部３０９の接点部３４０，３５０の夫々よりも上方に位置している。
【００４４】
図２及び図９に示されるように、本実施の形態の第２バネ片部４２０は、上下方向と交差する平板形状を有している。本実施の形態の第２バネ片部４２０は、曲部４３０の後端から後方に延びている。第２バネ片部４２０は、前後方向において本体部３００の主バネ固定部３８０よりも後方に位置している。第２バネ片部４２０は、前後方向において本体部３００の第１上部３０１の後端３０３よりも後方に位置している。
【００４５】
図２及び図９に示されるように、第２バネ片部４２０の後端４２２は、自由端４２２である。即ち、本実施の形態の第２バネ片部４２０は、自由端４２２を有している。第２バネ片部４２０の自由端４２２は、前後方向において本体部３００の主バネ固定部３８０の後端よりも後方に位置している。第２バネ片部４２０の自由端４２２は、前後方向において本体部３００の第１上部３０１の後端３０３よりも後方に位置している。
【００４６】
図２及び図９に示されるように、主バネ部４００の固定端４１４は、前後方向において主バネ部４００の自由端４２２よりも前方に位置している。即ち、第１バネ片部４１０の折り返し部４１２の固定端４１４は、前後方向において第２バネ片部４２０の自由端４２２よりも前方に位置している。
【００４７】
図２及び図９に示されるように、本実施の形態の曲部４３０の接点部４３２は、前後方向において第１バネ片部４１０と第２バネ片部４２０とに挟まれている。より詳しくは、曲部４３０の接点部４３２は、前後方向において第１バネ片部４１０の後方に位置しており、第２バネ片部４２０は、前後方向において曲部４３０の接点部４３２の後方に位置している。
【００４８】
図２から図５及び図７から図９に示されるように、本実施の形態の保護部６００は、本体部３００の第１上部３０１の前端から前方且つ下方に延びている。より詳しくは、本実施の形態の保護部６００は、横方向と直交する面内において、上下反転したＪ字形状の断面を有している。保護部６００の下端は、上下方向において、主バネ部４００の第１バネ片部４１０の折り返し部４１２の下端よりも下方に位置している。また、保護部６００の下端は、上下方向において、主バネ部４００の曲部４３０の接点部４３２よりも上方に位置している。
【００４９】
図２から図４及び図７から図９から理解されるように、前後方向に沿って前方から雌端子２００を見た場合に、保護部６００は、主バネ部４００の折り返し部４１２を隠している。即ち、前後方向に沿って前方から雌端子２００を見た場合に、主バネ部４００の折り返し部４１２は視認できない。
【００５０】
より詳しくは、図２から図４及び図７から図９から理解されるように、前後方向に沿って前方から雌端子２００を見た場合に、保護部６００は、主バネ部４００の固定端４１４を隠している。即ち、前後方向に沿って前方から雌端子２００を見た場合に、主バネ部４００の固定端４１４は視認できない。
【００５１】
図２及び図９に示されるように、本実施の形態の補助バネ部５００は、互いに独立した第１補助バネ部５１０と、第２補助バネ部５２０とを有している。
【００５２】
図２、図３、図７及び図９を参照すると、本実施の形態の第１補助バネ部５１０は、本体部３００に片持ち梁状に支持されている。第１補助バネ部５１０は、固定端５１４である第１基部５１４と、第１弾性支持部（弾性支持部）５３０と、第１支持部５１２とを有している。
【００５３】
図２及び図９に示されるように、本実施の形態の第１基部５１４は、前後方向において本体部３００の連結部３２０の前端と接続されている。
【００５４】
図２及び図９に示されるように、本実施の形態の第１弾性支持部５３０は、固定端５１４である第１基部５１４から前方に延びた後、折れ曲がって前方且つ下方に延びている。即ち、本実施の形態の第１弾性支持部５３０は、鈍角で折れ曲がった形状を有している。本実施の形態の第１弾性支持部５３０は、固定端５１４を支点として弾性変形可能となっている。
【００５５】
図２及び図９に示されるように、本実施の形態の第１支持部５１２は、第１補助バネ部５１０の自由端５１２に形成されている。また、第１支持部５１２は、第１弾性支持部５３０に支持されており、少なくとも前後方向と直交する上下方向に移動可能となっている。第１支持部５１２は、前後方向において第１基部５１４よりも前方に位置している。第１支持部５１２は、前後方向において主バネ部４００の第１バネ片部４１０の折り返し部４１２の後方に位置している。第１支持部５１２は、前後方向において主バネ部４００の曲部４３０の前方に位置している。雌端子２００が雄端子７００と接続されていない状態において、第１支持部５１２は、主バネ部４００の第１バネ片部４１０と接触している。
【００５６】
図２、図７及び図９を参照すると、本実施の形態の第２補助バネ部５２０は、本体部３００に片持ち梁状に支持されている。第２補助バネ部５２０は、固定端５２４である第２基部５２４と、第２弾性支持部（弾性支持部）５３１と、第２支持部５２２とを有している。
【００５７】
図２及び図９に示されるように、本実施の形態の第２基部５２４は、前後方向において本体部３００の連結部３２０の後端と接続されている。上述のように、本実施の形態の第１基部５１４が前後方向において本体部３００の連結部３２０の前端と接続されていることを勘案すると、本実施の形態の連結部３２０は、前後方向において第１基部５１４と第２基部５２４とを連結している。
【００５８】
図２及び図９に示されるように、本実施の形態の第２弾性支持部５３１は、固定端５２４である第２基部５２４から延びており、折り返し部５２６と、直線部５２８とを有している。本実施の形態の第２弾性支持部５３１は、固定端５２４を支点として弾性変形可能となっている。
【００５９】
図２及び図９に示されるように、本実施の形態の折り返し部５２６は、第２基部５２４から後方に延びた後、前方に折り返された形状を有している。より詳しくは、本実施の形態の折り返し部５２６は、横方向と直交する面内において、略Ｕ字形状の断面を有しており、その略Ｕ字形状の頂点５２７は前後方向において後方を向いている。即ち、頂点５２７は、前後方向における折り返し部５２６の後端である。
【００６０】
図２及び図９に示されるように、本実施の形態の直線部５２８は、上下方向及び前後方向の双方と交差する略平板形状を有しており、折り返し部５２６から前方に延びている。
【００６１】
図２及び図９に示されるように、本実施の形態の第２支持部５２２は、第２補助バネ部５２０の自由端５２２に形成されている。また、第２支持部５２２は、第２弾性支持部５３１に支持されており、少なくとも前後方向と直交する上下方向に移動可能となっている。より詳しくは、第２支持部５２２は、第２弾性支持部５３１の直線部５２８に支持されており、少なくとも上下方向に移動可能となっている。第２支持部５２２は、前後方向において第２基部５２４よりも前方に位置している。また、第２支持部５２２は、前後方向において第１補助バネ部５１０の第１基部５１４よりも前方に位置している。第２支持部５２２は、前後方向において主バネ部４００の曲部４３０の後方に位置している。第２支持部５２２は、前後方向において主バネ部４００の第２バネ片部４２０の後端４２２の前方に位置している。雌端子２００が雄端子７００と接続されていない状態において、第２支持部５２２は、主バネ部４００の第２バネ片部４２０と接触していない。
【００６２】
図２及び図９に示されるように、本実施の形態の主バネ部４００の曲部４３０の接点部４３２は、前後方向において補助バネ部５００の第１支持部５１２と第２支持部５２２との間に位置している。より詳しくは、前後方向において、本実施の形態の主バネ部４００の曲部４３０の接点部４３２は、補助バネ部５００の第１支持部５１２の後方に位置しており、補助バネ部５００の第２支持部５２２の前方に位置している。
【００６３】
図１及び図３から図８までに示されるように、本実施の形態の芯線保持部３６０は、前後方向において本体部３００の後方に位置しており、後方に延びている。芯線保持部３６０は、前後方向と直交する面内において、丸みを帯びた略Ｖ字形状の断面を有している。
【００６４】
図１及び図３から図８までに示されるように、本実施の形態の外皮保持部３７０は、前後方向において芯線保持部３６０の後方に位置しており、雌端子２００の後端を規定している。
【００６５】
図１に示されるように、本実施の形態のケーブル１６０は、前後方向に延びており、外皮１６２と芯線１６４とを有している。ケーブル１６０は、雌端子２００に取り付けられている。より詳しくは、ケーブル１６０の外皮１６２は、雌端子２００の外皮保持部３７０に保持されており、ケーブル１６０の芯線１６４は、雌端子２００の芯線保持部３６０に保持されている。
【００６６】
雌端子２００のハウジング１５０への取付方法を、以下に詳述する。
【００６７】
まず、図１及び図２を参照して、ケーブル１６０を固定した雌端子２００の前端をハウジング１５０の雌端子収容孔１７０の後端から前方に向けて挿入する。すると、雌端子２００はハウジング１５０の雌端子収容孔１７０の内部を前方に移動して、雌端子２００の保護部６００がハウジング１５０のランス１５３の突起１５４の傾斜面１５６と接触する。
【００６８】
ここで、雌端子２００を更に前方に押し込むと、雌端子２００の保護部６００がハウジング１５０のランス１５３の突起１５４の傾斜面１５６を押圧してランス１５３の突起支持部１５７が弾性変形し、突起１５４は上方に移動する。
【００６９】
この状態で雌端子２００を更に前方に押し込むと、雌端子２００は、突起１５４の下面を雌端子２００の第１上部３０１と接触させつつ、ハウジング１５０の雌端子収容孔１７０の内部を前方に移動する。その後、雌端子２００の本体部３００の第１上部３０１の後端３０３と、ハウジング１５０のランス１５３の突起１５４の前面１５５とが、前後方向において同じ位置に達すると、ハウジング１５０のランス１５３の突起支持部１５７は元の形状に復帰し、ハウジング１５０のランス１５３の突起１５４は雌端子２００の本体部３００の突起収容部３３０に収容される。
【００７０】
このとき、ハウジング１５０のランス１５３の突起１５４の前面１５５は、雌端子２００の本体部３００の第１上部３０１の後端３０３と、前後方向において対向している。
【００７１】
またこのとき、雌端子２００の本体部３００の底部３０９の前端は、ハウジング１５０の雌端子収容孔１７０の下側止め部１７６と、前後方向において対向している。加えて、雌端子２００の本体部３００の右側部３９０の前端は、ハウジング１５０の雌端子収容孔１７０の右側止め部１７２と前後方向において対向しており、雌端子２００の本体部３００の左側部３９５の前端は、ハウジング１５０の雌端子収容孔１７０の左側止め部と前後方向において対向している。
【００７２】
この状態において、雌端子２００をハウジング１５０の雌端子収容孔１７０から後方に引き抜こうとしても、雌端子２００の本体部３００の第１上部３０１の後端３０３が、前後方向においてハウジング１５０のランス１５３の突起１５４の前面１５５と接触するため、雌端子２００の後方への引き抜きが妨げられている。同様に、この状態において、雌端子２００をハウジング１５０の雌端子収容孔１７０から前方に引き抜こうとしても、雌端子２００の本体部３００の右側部３９０、左側部３９５、底部３０９の前端が、ハウジング１５０の雌端子収容孔１７０の右側止め部１７２、左側止め部、下側止め部１７６と夫々接触するため、雌端子２００の前方への引き抜きが妨げられている。従って、この状態において、雌端子２００はハウジング１５０に保持されている。
【００７３】
雄端子７００と雌端子２００の接続方法及び接続時の雌端子２００の各部位の動作について、以下に詳述する。
【００７４】
図９を参照して、まず、雄端子７００の自由端（後端）と、雌端子２００の開口部３１５とが、前後方向において対向するように位置決めする。
【００７５】
次に、雄端子７００を雌端子２００に対して前後方向に沿って後方に相対移動することにより、雄端子７００を雌端子２００の本体部３００の受容部３１０に開口部３１５を介して挿入する。
【００７６】
このとき、雄端子７００の後端の上部に位置する斜面部が、雌端子２００の主バネ部４００の曲部４３０の接点部４３２と接触し、接点部４３２は上下方向において上方に移動する。接点部４３２が上方に移動すると、第１バネ片部４１０及び第２バネ片部４２０も上方に移動する。
【００７７】
ここで、主バネ部４００の第１バネ片部４１０が上方に移動すると、補助バネ部５００の第１補助バネ部５１０の第１支持部５１２は、主バネ部４００の第１バネ片部４１０との接触を保ちながら上方に移動する。即ち、第１支持部５１２は、雄端子７００と雌端子２００とが接続される際に、第１バネ片部４１０を支持する。
【００７８】
また、主バネ部４００の第２バネ片部４２０が上方に移動すると、主バネ部４００の第２バネ片部４２０は、補助バネ部５００の第２補助バネ部５２０の第２支持部５２２と接触して第２支持部５２２を上方に移動させる。即ち、第２支持部５２２は、雄端子７００と雌端子２００とが接続される際に、第２バネ片部４２０を支持する。
【００７９】
即ち、本実施の形態の雌端子２００においては、雄端子７００と雌端子２００とが接続される際に雄端子７００が雌端子２００の主バネ部４００の接点部４３２を押圧すると、主バネ部４００の接点部４３２は、補助バネ部５００の第１支持部５１２及び第２支持部５２２により、前後方向においてバランスよく支持されることとなる。よって、雄端子７００と雌端子２００とが接続される際に主バネ部４００に発生する応力は、補助バネ部５００の第１支持部５１２と第２支持部５２２によって分散されるため、雌端子２００の主バネ部４００の塑性変形が避けられる。
【００８０】
雄端子７００の、雌端子２００の本体部３００の受容部３１０への挿入が完了すると、図９に示される状態となる。即ち、この状態において、補助バネ部５００の第１補助バネ部５１０の第１支持部５１２は、主バネ部４００の第１バネ片部４１０との接触を維持しており、且つ、補助バネ部５００の第２補助バネ部５２０の第２支持部５２２は、主バネ部４００の第２バネ片部４２０との接触を維持している。また、この状態において、雄端子７００は、雌端子２００の本体部３００に対して、雌端子２００の主バネ部４００の曲部４３０の接点部４３２と本体部３００の底部３０９の接点部３４０，３５０との３点で接触している。これにより、雄端子７００は雌端子２００と安定的に接触することができる。
【００８１】
以上、本発明について実施の形態を掲げて具体的に説明してきたが、本発明はこれに限定されるわけではなく、種々の変形が可能である。
【００８２】
本実施の形態の補助バネ部５００の第１支持部５１２及び第２支持部５２２は、互いに独立した２つの片持ち梁状の弾性支持部５３０，５３１に夫々支持されていたが、本発明はこれに限定されない。第１支持部５１２及び第２支持部５２２は、互いに独立した２つの両持ち梁状の弾性支持部に夫々支持されていてもよい。加えて、第１支持部５１２及び第２支持部５２２の両方が、１つの片持ち梁状の弾性支持部に支持されていてもよく、また、１つの両持ち梁状の弾性支持部に支持されていてもよい。
【００８３】
本実施の形態において、雌端子２００が雄端子７００と接続されていない状態において、雌端子２００の補助バネ部５００の第１補助バネ部５１０の第１支持部５１２は、主バネ部４００の第１バネ片部４１０と接触していたが、本発明はこれに限定されない。即ち、雌端子２００が雄端子７００と接続されていない状態において、雌端子２００の補助バネ部５００の第１補助バネ部５１０の第１支持部５１２は、主バネ部４００の第１バネ片部４１０と接触していなくてもよい。
【００８４】
本実施の形態において、雌端子２００が雄端子７００と接続されていない状態において、雌端子２００の補助バネ部５００の第２補助バネ部５２０の第２支持部５２２は、主バネ部４００の第２バネ片部４２０と接触していなかったが、本発明はこれに限定されない。即ち、雌端子２００が雄端子７００と接続されていない状態において、補助バネ部５００の第２補助バネ部５２０の第２支持部５２２は、主バネ部４００の第２バネ片部４２０と接触していてもよい。
【００８５】
本実施の形態において、主バネ部４００の固定端４１４は、前後方向において主バネ部４００の自由端４２２よりも前方に位置していたが、本発明はこれに限定されない。主バネ部４００の固定端４１４が、前後方向において主バネ部４００の自由端４２２よりも後方に位置していてもよい。即ち、主バネ部４００が後方から前方に向かって受容部３１０内を延びていてもよい。しかしながら、主バネ部４００をこのように構成した場合、雄端子７００を雌端子２００に挿入する際に雄端子７００の後端が雌端子２００の主バネ部４００の自由端と接触して主バネ部４００が座屈しないように、雌端子２００を前方から見て主バネ部４００の自由端が保護部６００によって隠されるように保護部６００を大きく確保する必要がある。翻って、本実施の形態の主バネ部４００の構成においては、主バネ部４００の固定端４１４を保護するように保護部６００を構成すればよいので、主バネ部４００が後方から前方に向かって受容部３１０内を延びている場合と比較して、保護部６００の上下方向におけるサイズを小さくすることができ、開口部３１５を上下方向に大きく確保することができる。従って、本実施の形態のように主バネ部４００を構成することがより好ましい。
【符号の説明】
【００８６】
１００        コネクタ
１５０        ハウジング
１５３        ランス
１５４        突起
１５５        前面
１５６        傾斜面
１５７        突起支持部
１６０        ケーブル
１６２        外皮
１６４        芯線
１７０        雌端子収容孔
１７２        右側止め部
１７６        下側止め部
２００        雌端子
３００        本体部
３０１        第１上部
３０２        第２上部
３０３        後端
３０９        底部
３１０        受容部
３１５        開口部
３２０        連結部
３３０        突起収容部
３４０        接点部
３５０        接点部
３６０        芯線保持部
３７０        外皮保持部
３８０        主バネ固定部
３９０        右側部
３９１        右側第１接続部
３９２        右側第２接続部
３９３        右側主部
３９５        左側部
３９６        左側第１接続部
３９７        左側第２接続部
３９８        左側主部
４００        主バネ部
４１０        第１バネ片部
４１２        折り返し部
４１３        頂点
４１４        固定端
４１６        直線部
４２０        第２バネ片部
４２２        後端（自由端）
４３０        曲部
４３２        接点部
５００        補助バネ部
５１０        第１補助バネ部
５１２        第１支持部（自由端）
５１４        第１基部（固定端）
５２０        第２補助バネ部
５２２        第２支持部（自由端）
５２４        第２基部（固定端）
５２６        折り返し部
５２７        頂点
５２８        直線部
５３０        第１弾性支持部（弾性支持部）
５３１        第２弾性支持部（弾性支持部）
６００        保護部
７００        雄端子
【図１】
2019057423.tif 000003
【図２】
2019057423.tif 000004
【図３】
2019057423.tif 000005
【図４】
2019057423.tif 000006
【図５】
2019057423.tif 000007
【図６】
2019057423.tif 000008
【図７】
2019057423.tif 000009
【図８】
2019057423.tif 000010
【図９】
2019057423.tif 000011
【図１０】
2019057423.tif 000012